(57)【要約】      （修正有）【課題】空気の断熱作用による保温効果と、熱反射作用による保温効果と、多積層構造による保温効果で優れた保温力を有する風呂用保温シートを提供する。【解決手段】気泡緩衝シート層群１の両面に熱反射層群２，２が形成された風呂用保温シートであり、気泡緩衝シート層群は、表面に多数個の空気セル１１ａを膨出形成させたセルシート１１の両面に平面シート１２，１２を積層させた３積層構造に形成される。熱反射層群は、ＰＥＴフィルム２１と、このＰＥＴフィルムの内面に蒸着されたアルミ蒸着層２２と、このアルミ蒸着層の表面に形成されたアンカーコート層２３と、このアンカーコート層の表面に形成されたＰＥコート層２４の４積層構造に形成され、全体として合計１１積層構造に形成されている。【選択図】図１
0003158476.tif 000002
【実用新案登録請求の範囲】
【請求項１】
気泡緩衝シート層群（１）の両面に熱反射層群（２），（２）が形成された風呂用保温シート（Ａ）であって、
前記気泡緩衝シート層群（１）は、表面に多数個の空気セル（１１ａ）を膨出形成させたセルシート（１１）の両面に平面シート（１２），（１２）を積層させた３積層構造に形成され、
前記熱反射層群（２）は、ＰＥＴフィルム（２１）と、このＰＥＴフィルム（２１）の内面に蒸着されたアルミ蒸着層（２２）と、このアルミ蒸着層（２２）の表面に形成されたアンカーコート層（２３）と、このアンカーコート層（２３）の表面に形成されたＰＥコート層（２４）の４積層構造に形成され、
前記気泡緩衝シート層群（１）と、両面の熱反射層群（２），（２）とで合計１１積層構造に形成されていることを特徴とする風呂用保温シート。
【考案の詳細な説明】
【技術分野】
【０００１】
本考案は、浴槽内の湯面（水面）に敷設して使用する風呂用保温シートに関する。
【背景技術】
【０００２】
従来、浴槽内の湯面に敷設することによりお湯を保温して冷めにくくさせ、又、風呂を沸かす際に浴槽内の水面に敷設することにより短時間で沸かすことができるようにした風呂用保温シートが知られている。（特許文献１参照）。
【０００３】
この従来の風呂用保温シートは、ポリエチレンやポリプロピレン等の発泡合成樹脂シートを浴槽の湯面（水面）に敷設して使用するもので、これによりお湯を保温して冷めにくくさせ、又、効率よくお湯を沸すことができるようにしたものであった。
【０００４】
しかしながら、この従来の風呂用保温シートは、ポリエチレンやポリプロピレン等の発泡合成樹脂シートの単体（１層構造）であって、空気の断熱を利用しただけの保温作用であるため、十分な保温効果を得ることができないという問題があった。
【先行技術文献】
【特許文献】
【０００５】
【特許文献１】実用新案登録第３０３３２４９号公報
【考案の概要】
【考案が解決しようとする課題】
【０００６】
本考案は、空気の断熱作用による保温効果と、熱反射作用による保温効果と、多積層構造による保温効果で優れた保温力を有する風呂用保温シートを提供することを課題としている。
【課題を解決するための手段】
【０００７】
上記の課題を解決するために、本考案の請求項１に係る風呂用保温シートは、
気泡緩衝シート層群（１）の両面に熱反射層群（２），（２）が形成された風呂用保温シート（Ａ）であって、
前記気泡緩衝シート層群（１）は、表面に多数個の空気セル（１１ａ）を膨出形成させたセルシート（１１）の両面に平面シート（１２），（１２）を積層させた３積層構造に形成され、
前記熱反射層群（２）は、ＰＥＴフィルム（２１）と、このＰＥＴフィルム（２１）の内面に蒸着されたアルミ蒸着層（２２）と、このアルミ蒸着層（２２）の表面に形成されたアンカーコート層（２３）と、このアンカーコート層（２３）の表面に形成されたＰＥコート層（２４）の４積層構造に形成され、
前記気泡緩衝シート層群（１）と、両面の熱反射層群（２），（２）とで合計１１積層構造に形成されている構成とした。
【考案の効果】
【０００８】
本考案の風呂用保温シートは、両面の熱反射層群で気泡緩衝シート層群を挟んだサンドウイッチ構造に形成されている。
従って、その中央に配した気泡緩衝シート層群によって空気の断熱作用による保温効果と、両面に配した熱反射層群によって熱反射作用による保温効果を得ることができる。
【０００９】
また、前記気泡緩衝シート層群が３積層構造に形成され、かつ前記両面の熱反射層群はそれぞれ４層構造に形成され、全体としては合計１１積層構造に形成されているため、その多積層構造による保温効果を得ることができる。
【００１０】
このように、本考案の風呂用保温シートによれば、空気の断熱作用による保温効果と、熱反射作用による保温効果と、多積層構造による保温効果と、その相乗効果によって優れた保温力を得ることができる。
【００１１】
さらに、セルシートを主体とした気泡緩衝シート層群と、アルミ蒸着層を主体とした熱反射層群の積層構造であるため、軽く、薄く、持ち易く、作業性が良く、丈夫であり、腐らず、長持ちでき、耐久性に優れている等の効果を有する。
【図面の簡単な説明】
【００１２】
【図１】本考案の実施例に係る風呂用保温シートの一部を示す拡大断面図。
【図２】その風呂用保温シートの使用状態を示す断面図。
【図３】その風呂用保温シートの保温効果を実験したときの温度変化を示すグラフ図。
【考案を実施するための形態】
【実施例】
【００１３】
図１に示すように、本実施例の風呂用保温シートＡは、気泡緩衝シート層群１の両面に熱反射層群２，２を接着させたサンドウイッチ構造に形成されている。
【００１４】
前記気泡緩衝シート層群１は、例えば、包装用緩衝材等として用いられている合成樹脂フィルム（ポリエチレンフィルム）の積層体であって、表面に多数個の空気セル１１ａを膨出形成させた中央のセルシート１１と、このセルシート１１の両面に平面シート１２，１２を積層させた３積層構造に形成されている。
【００１５】
前記熱反射層群２は、透明のＰＥＴ（ポリエチレンテレフタレート）フィルム２１と、このＰＥＴフィルム２１の内面に蒸着された銀色のアルミ蒸着層２２と、このアルミ蒸着層２２の表面に塗布して形成されたＰＥ（ポリエチレン）によるアンカーコート層２３と、このアンカーコート層２３の表面に塗布して形成された耐水性に優れたＰＥコート層２４と、で４積層構造に形成されている。
【００１６】
前記アンカーコート層２３は下塗り層となるもので、このアンカーコート層２３を形成させることによりアルミ蒸着層２２とＰＥコート層２４との接着性を向上させて、アルミ蒸着層２２の剥離や消失を防止させ、かつ光沢を維持させることができる。
【００１７】
風呂用保温シートＡは、図２に示すように、浴槽３の湯面（水面）３０を覆うように浮かべて使用する。
このように風呂用保温シートＡを使用することにより、気泡緩衝シート層群１による空気の断熱作用と、両面に配した熱反射層群２，２による熱反射作用と、全体として合計１１積層構造の多積層構造と、その相乗効果によって、熱の放散を抑制させて優れた保温力を得ることができる。
【００１８】
従って、風呂のお湯を保温して冷めにくくさせ、又、効率よくお湯を沸すことができ、追い炊きの時間、当初の湯沸しの時間を短縮させることができるし、燃料を節減することができる。
【００１９】
なお、図３は夏季において風呂用保温シートの保温効果を実験したときの温度変化を示すグラフ図であり、ｐｍ６からｐｍ１２までの温度の下降は、測定線Ｍ及び測定線Ｎで示すように1度程度であり、この結果からも優れた保温力を有していることが認められる。
尚、テストは株式会社ＩＮＡＸのバスＮＯ．♯１６２０タイプ（長さ１，６００ｍｍ、幅８００ｍｍ）の浴槽を用いて行なった。
【００２０】
また、優れた保温力を有しながらも、軽く、薄く、持ち易く、作業性が良く、丈夫であり、腐らず、長持ちでき、耐久性に優れている等の効果を有する。
【符号の説明】
【００２１】
１  気泡緩衝シート層群
１１  セルシート
１１ａ  空気セル
１２  平面シート
２  熱反射層群
２１  ＰＥＴフィルム
２２  アルミ蒸着層
２３  アンカーコート層
２４  ＰＥコート層
３  浴槽
３０  湯面（水面）
Ａ  風呂用保温シート
【図１】
0003158476.tif 000003
【図２】
0003158476.tif 000004
【図３】
0003158476.tif 000005